(57)【特許請求の範囲】
【請求項１】
第１筐体と、
第２筐体と、
前記第１筐体に収納された第１電子回路と、
前記第２筐体に収納された第２電子回路と、
前記第１筐体と前記第２筐体とを回転可能に連結する連結部と、
複数のケーブルが導電性シートで巻かれて互いに束ねられて構成され、前記連結部の内部に挿通されて前記第１電子回路と前記第２電子回路とを電気的に接続する第１ケーブルと、
複数のケーブルが絶縁性シートで巻かれて互いに束ねられて構成され、前記連結部の内部に挿通されて前期第１電子回路と前記第２電子回路とを電気的に接続する第２ケーブルと、
前記第２筐体に設けられ、前記第２ケーブルを介して前記第１ケーブルを挟持して位置決めする挟持部と、を備え、
該挟持部は、導電部を含み、該導電部と前記第１ケーブルの導電性シートとが当接されると共に前記導電部と前記第２筐体内に備える基準電位部とが電気的に接続されている
電子機器。
【請求項２】
前記第２電子回路は前記第２筐体に設けられた回路基板に設けられ、
前記第１及び第２ケーブルは、前記連結部の内部から前記第２筐体に設けられた前記回路基板の側部に対して延出し、
前記挟持部の前記導電部は、前記側部に沿って設けられた壁部である
請求項１に記載の電子機器。
【請求項３】
前記第２筐体は、前記回路基板を挟むように配置された第１ケース部材と第２ケース部材とを有し、
前記第１ケース部材及び前記第２ケース部材は、前記第２ケース部材に挿通されたネジが前記第１ケース部材に形成されたネジボスに螺合することにより互いに固定され、
前記ネジボスは、前記壁部に前記第１及び第２のケーブルを挟んで対向する位置に設けられて前記挟持部の一部を構成し、
前記第１及び第２のケーブルは、前記壁部と前記ネジボスとにより挟持される
請求項２に記載の電子機器。
【請求項４】
前記壁部と前記ネジボスとの距離は、前記第１ケーブルの直径と前記第２ケーブルの直径との総和よりも小さい
請求項３に記載の電子機器。
【請求項５】
前記ネジボスは前記連結部と一体形成されている
請求項３または４に記載の電子機器。
【請求項６】
前記第２筐体には、前記壁部のうち前記回路基板の外側の面に支持されたスイッチと、前記第２筐体の外部へ露出し、前記スイッチを操作可能なキートップとが設けられている
請求項２に記載の電子機器。
【発明の詳細な説明】
【技術分野】
【０００１】
本発明は、携帯電話機等の電子機器に関する。
【背景技術】
【０００２】
折り畳み式の携帯電話機等、２以上の筐体が互いに移動可能に連結された電子機器が知られている（特許文献１）。特許文献１の携帯電話機では、一の筐体の回路基板と他の筐体の回路基板とは、連結部に挿通されたフレキシブルプリント配線板（ＦＰＣ）により接続されている。ＦＰＣは、携帯電話機の開閉に伴って変形する。
【０００３】
また、電子機器のＦＰＣに導電性テープを貼り付け、導電性テープによりＦＰＣをシールドしてＦＰＣへのノイズの混入を防止する技術が知られている（特許文献２）。
【特許文献１】特開２００５−１６７５９７号公報
【特許文献２】特開２００５−０５１４３１号公報
【発明の開示】
【発明が解決しようとする課題】
【０００４】
両筐体を接続する信号線には、連結部の隙間などから侵入した静電気の影響などによりノイズが混入しやすい。また、例えば、同信号線により高速シリアル通信を行う場合等には、信号振幅が小さく、ひいてはノイズマージンが小さい。これらの理由から両筐体を接続する信号線へのノイズの混入防止が望まれている。そこで、例えば、特許文献１のＦＰＣに、特許文献２のように導電性テープを貼り付けて、両筐体を接続する信号線をシールドすることが考えられる。しかし、導電性テープを基準電位部に導通させるために新たな部材を設けるとすれば、構成の複雑化、コストの上昇を招く。
【０００５】
また、特許文献１のように両筐体を接続する信号線が連結部に挿通されて構成されている場合、当該信号線が筐体の相対移動に伴ってばたつくと、信号線が筐体内部の各部に当接することになり、磨耗や電気短絡により、信号線又は他の部品の損傷を招く。すなわち、信号線は筐体に対し適度に動きが規制される必要がある。
【０００６】
本発明の目的は、２つの筐体の電子回路同士を接続する信号線における筐体に対する動きを適度に規制することができると共に基準電位部への導通を確実かつ簡素に実現できる電子機器を提供することにある。
【課題を解決するための手段】
【０００７】
本発明の電子機器は、第１筐体と、第２筐体と、前記第１筐体に収納された第１電子回路と、前記第２筐体に収納された第２電子回路と、前記第１筐体と前記第２筐体とを回転可能に連結する連結部と、複数のケーブルが導電性シートで巻かれて互いに束ねられて構成され、前記連結部の内部に挿通されて前記第１電子回路と前記第２電子回路とを電気的に接続する第１ケーブルと、複数のケーブルが絶縁性シートで巻かれて互いに束ねられて構成され、前記連結部の内部に挿通されて前期第１電子回路と前記第２電子回路とを電気的に接続する第２ケーブルと、前記第２筐体に設けられ、前記第２ケーブルを介して前記第１ケーブルを挟持して位置決めする挟持部と、を備え、該挟持部は、導電部を含み、該導電部と前記第１ケーブルの導電性シートとが当接されると共に前記導電部と前記第２筐体内に備える基準電位部とが電気的に接続されている。
【０００８】
好適には、前記第２電子回路は前記第２筐体に設けられた回路基板に設けられ、前記第１及び第２ケーブルは、前記連結部の内部から前記第２筐体に設けられた前記回路基板の側部に対して延出し、前記挟持部の前記導電部は、前記側部に沿って設けられた壁部である。
【０００９】
好適には、前記第２筐体は、前記回路基板を挟むように配置された第１ケース部材と第２ケース部材とを有し、前記第１ケース部材及び前記第２ケース部材は、前記第２ケース部材に挿通されたネジが前記第１ケース部材に形成されたネジボスに螺合することにより互いに固定され、前記ネジボスは、前記壁部に前記第１及び第２のケーブルを挟んで対向する位置に設けられて前記挟持部の一部を構成し、前記第１及び第２のケーブルは、前記壁部と前記ネジボスとにより挟持される。
【００１０】
好適には、前記壁部と前記ネジボスとの距離は、前記第１ケーブルの直径と前記第２ケーブルの直径との総和よりも小さい。
好適には、前記ネジボスは前記連結部と一体形成されている
【００１１】
好適には、前記第２筐体には、前記壁部のうち前記回路基板の外側の面に支持されたスイッチと、前記第２筐体の外部へ露出し、前記スイッチを操作可能なキートップとが設けられている。
【発明の効果】
【００１２】
本発明によれば、２つの筐体の電子回路同士を接続する信号線における筐体に対する動きを適度に規制することができると共に基準電位部への導通を確実かつ簡素に実現できる。
【発明を実施するための最良の形態】
【００１３】
図１は、本発明の実施形態に係る電子機器としての携帯電話機１の外観を開状態で示す斜視図である。携帯電話機１は、いわゆる折り畳み式の携帯電話機として構成されており、開状態と閉状態との間で互いに回動可能に連結された受話筐体２及び送話筐体３を備えている。
【００１４】
受話筐体２及び送話筐体３は、それぞれの端部が回動の中心となる連結部４により連結されることにより携帯電話機１全体の筐体を構成するようになっている。受話筐体２及び送話筐体３は、それぞれ概ね薄型直方体状に形成されており、閉状態では互いに重ねあわされて互いの輪郭が略一致する。
【００１５】
受話筐体２には、例えば、通話用のスピーカ９０（図７参照）、報知用のスピーカ９１（図７参照）、画像や文字を表示する表示部６、カメラモジュール８９（図７参照）が設けられている。送話筐体３には、例えば、通話用のマイクロフォン８４（図７参照）、通信のための内蔵アンテナ８５（図７参照）、ユーザの操作を受け付ける操作部７が設けられている。
【００１６】
受話筐体２は、閉状態で送話筐体３に対向する面側の正面側ケース１８と、その背面側の背面側ケース１９とを備えている。正面側ケース１８及び背面側ケース１９は、例えば非導電性の樹脂によりそれぞれ成形されている。
【００１７】
送話筐体３は、閉状態で受話筐体２に対向する面側の正面側ケース２１と、その背面側の背面側ケース２２と、背面側ケース２２の背面側に被せられる蓋体２３とを備えている。正面側ケース２１、背面側ケース２２及び蓋体２３は、例えば非導電性の樹脂によりそれぞれ成形されている。
【００１８】
連結部４は、送話筐体３の端部に形成された凹部１０に、受話筐体２の端部に形成された凸部９が嵌合して構成されている。凸部９は受話筐体２の正面側ケース１８に形成されている。凹部１０は送話筐体３の正面側ケース２１及び背面側ケース２２に形成されている。
【００１９】
図２は、蓋体２３及び背面側ケース２２等の一部の部材を省略して送話筐体３の背面側から閉状態の携帯電話機１を示す斜視図であり、図３は、閉状態の携帯電話機１の一部の部材を省略するとともに一部を分解した斜視図である。
【００２０】
送話筐体３においては、背面側ケース２２側（図３の紙面上方側）から、基板３１、基板３１をシールドするシールドケース３２、操作部７のキーに対応するスイッチが配置されたＦＰＣ（不図示）、操作部７のキーが配置されたキーシート（不図示）、正面側ケース２１が積層的に配置されている。
【００２１】
基板３１は、例えば樹脂をベースとしたプリント配線基板により構成され、正面側ケース２１側の第１の実装面３１ａと、その背面側の第２の実装面３１ｂとを有して構成されている。なお、第１の実装面３１ａ及び第２の実装面３１ｂは、送話筐体３の面積から連結部４の面積を差し引いた面積と略同程度の面積を有している。また、第１の実装面３１ａ及び第２の実装面３１ｂには、例えば、各種の電子部品３３が設けられ、電子回路３４が構成されている。基板３１には、例えば、通信処理部８２（図７参照）、操作部７からの信号等に基づいて表示部６等の制御を行う制御部８１（図７参照）が設けられている。第１の実装面３１ａ及び第２の実装面３１ｂには、各実装面を複数の領域に区画するようにグランドパターン層３５（基準電位部）が形成されている（ただし、第２の実装面３１ｂのグランドパターン層のみ図示）。
【００２２】
シールドケース３２は、例えば金属により形成されている。シールドケース３２には、基板３１に対向する面に、第２の実装面３１ｂのグランドパターン層３５と同一のパターンでリブ３２ａが形成されており、シールドケース３２は、リブ３２ａがグランドパターン層３５に当接することにより、グランドパターン層３５に電気的に接続されている。
【００２３】
受話筐体２においては、正面側ケース１８と背面側ケース１９との間には、基板３７が設けられている。基板３７は、例えば樹脂をベースとしたプリント配線基板により構成されている。基板３７には、種々の電子部品が配置され、電子回路が構成され、例えば、表示部６の動作を制御するための画像処理部８８（図７参照）が設けられている。
【００２４】
連結部４には、凸部９及び凹部１０の摺動面に孔部が形成されている。回転軸方向の一方の孔部には第１ヒンジパーツ３９が、他方の孔部には第２ヒンジパーツ４０（図２）が挿通されている。
【００２５】
第１ヒンジパーツ３９は、例えば、凸部９の摺動面の孔部に嵌合する筒状の部材と、凹部１０の摺動面の孔部に嵌合する筒状の部材とが互いに相対回転可能に、かつ、互いの空洞部を連通するように連結されて構成されている。
【００２６】
第２ヒンジパーツ４０は、例えば、凸部９の摺動面の孔部に嵌合する部材と、凹部１０の摺動面の孔部に嵌合する部材とが互いに相対回転可能に連結されて構成され、開閉に伴うクリック感を生じさせる機構を備えている。
【００２７】
受話筐体２に収納される基板３７と、送話筐体３に収納される基板３１とは、第１ケーブル４５と、第２ケーブル４６とにより電気的に接続されている。図７において後述するように、例えば、第１ケーブル４５は、送話筐体３の制御部８１と受話筐体２の表示部との間の信号の入出力を仲介するものであり、第２ケーブル４６は、送話筐体３の制御部８１と、受話筐体２のカメラモジュール８９との間の信号の入出力を仲介するものである。すなわち、第１ケーブル４５及び第２ケーブル４６は、信号を入出力する電子回路、情報の内容、通信方式のうち少なくともいずれか一つが相違している。
【００２８】
第１ケーブル４５及び第２ケーブル４６は、送話筐体３の基板３１の第２の実装面３１ｂから延び、第１ヒンジパーツ３９に挿通されて凸部９内に入り、凸部９から受話筐体２の内部へ延びて基板３７に到達する。
【００２９】
図４は第１ケーブル４５の構成を説明する図であり、図４（ａ）は第１ケーブル４５を模式的に示す一部に透視図を含む外観図、図４（ｂ）は第１ケーブル４５の形成方法を説明する図、図４（ｃ）は第１ケーブル４５の形成方法を説明する図であって図４（ｂ）の続きの工程を示す図である。
【００３０】
第１ケーブル４５は、複数の細線同軸ケーブル４８を備えている。細線同軸ケーブル４８は、同軸ケーブルの一種であり、図示は省略するが、公知のように、電気信号を伝達するための信号導体と、その周囲を被覆する絶縁体と、絶縁体の周囲に設けられ、信号導体をシールドするシールド導体と、シールド導体を被覆する絶縁性の被覆部材とからなる。シールド導体は例えば金属線が編み込まれて形成されている。細線同軸ケーブル４８は、同軸ケーブルのなかでも比較的径が小さいものである。例えば、細線同軸ケーブル４８の直径は１ｍｍ以下である。最近では、直径０．３ｍｍ以下のものも知られている。第１ケーブル４５は、例えば、直径０．３〜０．５ｍｍの細線同軸ケーブル４８を３０〜４０本備えており、第１ケーブル４５における複数の細線同軸ケーブル４８の束全体の直径は例えば２〜５ｍｍである。
【００３１】
複数の細線同軸ケーブル４８は、それぞれ、一端が基板３１に接続されるコネクタ５０Ａにより集結され、他端が基板３７に接続されるコネクタ５０Ｂにより集結されている（単に「コネクタ５０」といい、コネクタ５０Ａ、５０Ｂを区別しないことがある。）。
【００３２】
具体的には、コネクタ５０は、細線同軸ケーブル４８が接続されるケーブル側部５１と、基板３１又は基板３７に設けられ、基板３１又は基板３７の各種電子部品、導電層、グランドパターン層３５に接続される基板側部５２とを備えている。ケーブル側部５１及び基板側部５２は、例えば互いに嵌合する凹部又は凸部（不図示）を備えており、当該凹部及び凸部が互いに嵌合することにより互いに固定されるとともに、凹部及び凸部に設けられた端子同士が当接することにより互いに電気的に接続される。
【００３３】
ケーブル側部５１及び基板側部５２は、それぞれ基板に沿う方向に長い長尺状に形成されており、複数の細線同軸ケーブル４８と、ケーブル側部５１との複数の接続位置は、例えば、ケーブル側部５１の側面（基板に直交する面）に、ケーブル側部５１の長手方向に沿って（例えば１列で）配列されている。
【００３４】
ケーブル側部５１の天面（基板側部５２と対向する面と反対側の面）には、板金５３が設けられている。板金５３は、基板３１又は基板３７の基準電位となるグランドパターン層３５に接続された基板側部５２の端子に一部が当接するなどして、基板３１又は基板３７のグランドパターン層３５に電気的に接続される。
【００３５】
複数の細線同軸ケーブル４８は、導電性テープ５５が巻かれることにより束ねられている。導電性テープ５５は、例えば導電布の一方の面に導電性の接着剤が塗布されて構成されている。導電布は、例えば布に銅、ニッケル等をメッキして構成されている。布は天然繊維からなるものでも合成繊維からなるものでもよい。接着剤は、例えばアクリル系感圧粘着剤である。導電性テープ５５は、接着面を複数の細線同軸ケーブル４８に当接させて、複数の細線同軸ケーブル４８の略全長に亘って巻かれている。なお、導電性テープは、本発明の導電性シートの一例であり、要は導電性を有すると共に、複数の細線同軸ケーブル４８を束ねることのできるものであればよい。
【００３６】
導電性テープ５５は、複数の細線同軸ケーブル４８の束に対して、例えば、隙間なく（一部を重複させつつ）螺旋状に巻かれている。そして、導電性テープ５５の端部５５ａは、図４（ｂ）の矢印Ａ１や図４（ｃ）に示すように、細線同軸ケーブル４８の端部の天面側を覆うようにして板金５３に貼り付けられる。従って、導電性テープ５５は、板金５３を介して基板３１及び基板３７のグランドパターン層３５に電気的に接続される。
【００３７】
複数の細線同軸ケーブル４８のうち、コネクタ５０への集結部は、導電性テープ５５が巻かれるが、図４（ｃ）に示されるように一部が巻かれない部分が生じるため、絶縁性テープ５７により被覆される。具体的には、絶縁性テープ５７は、図４（ｃ）に示すように、接着面を内側にして折り畳まれ、複数の細線同軸ケーブル４８の端部を挟みこんで接着される。絶縁性テープ５７は、複数の細線同軸ケーブル４８のうち、導電性テープ５５が巻かれている部分の端部も挟み込むように、すなわち、導電性テープ５５との間に隙間が生じないように貼り付けられる。絶縁性テープ５７の天面側の部分５７ａは、導電性テープ５５の上から、導電性テープ５５の端部を覆うように、板金５３に貼り付けられる。
【００３８】
第２ケーブル４６は、第１ケーブル４５と同様に、複数の細線同軸ケーブル４８にテープが巻かれて構成されるものである。ただし、第２ケーブル４６は、導電性テープ５５に代えて、絶縁性テープ５９（図６参照）が巻かれて構成されている。
【００３９】
なお、第１ケーブル４５には、シールドとして機能する導電性テープ５５を巻くのに対し、第２ケーブル４６には、絶縁性テープ５９を巻くのは、携帯電話機１では、第１ケーブル４５及び第２ケーブル４６は伝達する信号の方式や内容が互いに異なり、第１ケーブル４５の方が第２ケーブル４６よりもノイズ防止が必要であること、一般に導電性テープ５５は絶縁性テープ５９よりも厚くなるとともにコスト高になることから、導電性テープ５５を巻くのは必要最小限にとどめることが好ましいことからである。
【００４０】
携帯電話機１は、受話筐体２及び送話筐体３の開閉に伴う第１ケーブル４５及び第２ケーブル４６のばたつきを抑え、かつ、第１ケーブル４５の導電性テープ５５を確実に基板３１のグランドパターン層３５に導通させるための構成を有している。以下、その構成について説明する。
【００４１】
図２に示すように、第１ケーブル４５を基板３１に接続するコネクタ５０及び第２ケーブル４６を基板３１に接続するコネクタ５０′は、基板３１のうち、連結部４側、かつ、回転軸の一方側（第１ヒンジパーツ３９側）の隅部において、長尺方向が基板３１の一の側部３１ｃ（回転軸に直交する一の縁部）に沿う方向になるように配置されている。コネクタ５０は、連結部４の回転軸方向において、凸部９と凹部１０との摺動面付近に配置され、コネクタ５０′は、連結部４の回転軸方向において、コネクタ５０よりも基板内側に配置されている。コネクタ５０及びコネクタ５０′と、連結部４との距離は、例えば、第２ケーブル４６の直径以上、当該直径の２倍未満であり、コネクタ５０と、側部３１ｃとの距離は、例えば、第１ケーブル４５及び第２ケーブル４６の直径の総和程度である。
【００４２】
第１ケーブル４５は、コネクタ５０のうち基板外側の側面において複数の細線同軸ケーブル４８が集結され、また、コネクタ５０の連結部４側の端部から延びている。第１ケーブル４５は、当該端部から若干側部３１ｃに近づいた後、側部３１ｃに沿って連結部４に向かって延び、第１ヒンジパーツ３９の回転中心付近で略直角に屈曲して第１ヒンジパーツ３９に挿通されている。不図示ではあるが、その後、第１ケーブル４５は、連結部４の内部で回転軸方向に延び、連結部４の回転軸方向中央付近において略直角に屈曲して受話筐体２内部へ入り、受話筐体２の基板３７まで延びる。なお、基板３１の側部３１ｃ（厳密にはその延長線）と、第１ケーブル４５の連結部４の内部から送話筐体３側への延出方向（回転軸方向）とは、互いに交差（具体的には直交）している。
【００４３】
第２ケーブル４６は、コネクタ５０′の基板外側の側面において複数の細線同軸ケーブル４８が集結され、コネクタ５０′の連結部４側の端部から延びている。第２ケーブル４６は、当該端部から連結部４に隣接して連結部４の回転軸方向に沿って延び、第１ケーブル４５に到達すると、略直角に屈曲し、第１ケーブル４５の基板内側に沿って連結部４に向かって延びる。そして、第２ケーブル４６は、第１ヒンジパーツ３９の回転中心付近で略直角に屈曲して第１ヒンジパーツ３９に挿通されている。不図示ではあるが、その後、第２ケーブル４６は、連結部４の内部で回転軸方向に延び、連結部４の回転軸方向中央付近において略直角に屈曲して受話筐体２内部へ入り、受話筐体２に設けられた基板３７まで、あるいは、カメラモジュール８９まで延びる。なお、基板３１の側部３１ｃ（厳密にはその延長線）と、第２ケーブル４６の連結部４の内部から送話筐体３側への延出方向（回転軸方向）とは、互いに交差（具体的には直交）している。
【００４４】
第１ケーブル４５及び第２ケーブル４６は、壁部６３（導電部）とネジボス６５とによって挟持されている。具体的には以下のとおりである。
【００４５】
図２及び図３に示すように、壁部６３は、シールドケース３２のうち、基板３１の側部３１ｃ側に沿う側部に設けられている。壁部６３は、例えば金属などの導電性材料により形成され、シールドケース３２と一体的に形成されている。壁部６３は、例えば、基板３１の厚さと、第１ケーブル４５の直径との総和以上の高さを有しており、シールドケース３２と基板３１とが積層されたときに、基板３１の側部３１ｃ側において第２の実装面３１ｂから突出する。また、壁部６３は、側部３１ｃに沿う方向において、例えば、コネクタ５０の配置領域に亘って形成されるとともに、コネクタ５０の配置領域から、連結部４と基板３１との境界付近まで、あるいは、境界付近を若干越える位置に亘って形成されている。
【００４６】
壁部６３の筐体外側の面には、例えば基板３１と電気的に接続されたＦＰＣ６７が設けられている。ＦＰＣ６７にはスイッチ６９が設けられており、送話筐体３の外部に露出するキートップ７１（図１参照）により操作可能である。スイッチ６９及びキートップ７１は、例えば、押圧スイッチ及び押しボタンである。スライドスイッチ及びスライドボタンであってもよい。ＦＰＣ６７やキートップ７１は、例えば、ネジなどの固定手段により、あるいは、送話筐体３を組み立てたときに壁部６３と正面側ケース１８の側面に挟まれることにより、壁部６３に対して固定、支持される。
【００４７】
ネジボス６５は、正面側ケース２１と背面側ケース２２とを互いに固定するためのものである。ネジボス６５は、例えば非導電性の樹脂により形成され、正面側ケース２１の内面から背面側ケース２２側へ突出するように、正面側ケース２１と一体的に形成されている。ネジボス６５は、例えば連結部４の凹部１０の角部内側に配置されている。換言すれば、連結部４の回転軸方向においては凸部９と凹部１０の摺動面付近、回転軸に直交する方向においては連結部４と基板３１との境界付近に配置されている。ネジボス６５は、例えば、シールドケース３２や基板３１等を正面側ケース２１に積層したときに、基板３１の第２の実装面３１ｂから第１のケーブル４５の直径以上突出する長さを有している。ネジボス６５には、背面側ケース２２に挿通された不図示のネジが螺合され、これにより、正面側ケース２１と背面側ケース２２とは互いに固定される。
【００４８】
図５（ａ）は、蓋体２３及び背面側ケース２２等の一部の部材を省略して送話筐体３の背面側から閉状態の携帯電話機１を示す平面図であり、図５（ｂ）は図５（ａ）のＶｂ−Ｖｂ線矢視方向の断面図であり、図５（ｃ）は図５（ａ）のＶｃ−Ｖｃ線矢視方向の断面図であり、図６（ａ）は図５（ａ）の領域ａの拡大図であり、図６（ｂ）は図５（ｂ）の領域ｂの拡大図（図６（ａ）のＶＩｂ−ＶＩｂ線矢視方向断面図）であり、図６（ｃ）は図５（ｃ）の領域ｃの拡大図であり、図６（ｄ）は図５（ｃ）の領域ｄの拡大図である。
【００４９】
図２、図６（ａ）、図６（ｂ）に示すように、第１ケーブル４５及び第２ケーブル４６は、基板３１側から連結部４側へ、基板３１の側部３１ｃに沿って延び始める部分において、換言すれば、側部３１ｃに沿うように屈曲した付近において、壁部６３が第１ケーブル４５に、ネジボス６５が第２ケーブル４６に当接することにより挟持されている。なお、第２ケーブル４６は、コネクタ５０′から側部３１ｃに沿うまでの間においてネジボス６５に押さえ付けられることにより、比較的鋭角に屈曲し、第１ケーブル４５も、第２ケーブル４６の屈曲部を介してネジボス６５に押さえ付けられることにより屈曲している。
【００５０】
図６（ｂ）に示すように、壁部６３とネジボス６５との距離は、複数の細線同軸ケーブル４８を均等に（円形に）配置した場合の第１ケーブル４５の直径と第２ケーブル４６の直径との総和よりも若干小さい。従って、第１ケーブル４５及び第２ケーブル４６は、壁部６３とネジボス６５との間に、断面形状を変形させつつ（複数の細線同軸ケーブル４８の配列を変化させつつ）押し込まれ、所定の圧力で壁部６３とネジボス６５とに挟持される。そして、第１ケーブル４５及び第２ケーブル４６は、壁部６３やネジボス６５との摩擦抵抗などにより、ケーブルに沿う方向及びケーブルに直交する方向の双方において、壁部６３及びネジボス６５により動きが規制される。なお、図２に示すように、第１ケーブル４５及び第２ケーブル４６は、ネジボス６５から第１ヒンジパーツ３９に挿通されるまで弛みはほとんどなく、また、第１ヒンジパーツ３９によってある程度押さえつけられている。また、第１ケーブル４５を形成する複数の細線同軸ケーブル４８の略全長に亘って巻かれる導電性テープ５５は、当該挟持により押し込まれるように壁部６３に当接される。
【００５１】
図６（ｃ）及び図６（ｄ）は、基板３１のグランドパターン層３５とシールドケース３２との導通方法の一例を示している。図６（ｃ）に示すように、シールドケース３２は、リブ３２ａがグランドパターン層３５に当接することにより、グランドパターン層３５に電気的に接続される。また、図６（ｄ）に示すように、シールドケース３２は、基板３１のグランドパターン層３５に挿通されたネジ７５がシールドケース３２に螺合されることにより、グランドパターン層３５に電気的に接続される。すなわち、シールドケース３２に形成された壁部６３もグランドパターン層３５に電気的に接続される。
【００５２】
図７は、携帯電話機１の信号処理系の構成の一例を示すブロック図である。携帯電話機１では、例えば、受話筐体３に、制御部８１、通信処理部８２及び音響処理部８３が設けられ、送話筐体２に、音響処理部８６、８７、画像処理部８８、カメラモジュール８９が設けられている。
【００５３】
制御部８１は、ＣＰＵ、ＲＯＭ、ＲＡＭ及び外部記憶装置を含んで構成され、操作部７等の各種手段からの信号に基づいて所定の演算を行い、画像処理部８８等の各種手段の制御を実行する。
【００５４】
通信処理部８２は、高周波回路を含んで構成され、電波を利用した無線通信を行うために、制御部８１で処理された音声データ、画像データ等の各種データを変調して、アンテナ８５を介して送信する。また、通信処理部８２は、アンテナ８５を介して受信した信号を復調して制御部８１に出力する。
【００５５】
送話筐体３の音響処理部８３は、マイクロフォン８４からの音響信号を音響データに変換して制御部８１に出力する。受話筐体２の音響処理部８６は、制御部８１からの音響データを音響信号に変換して通話用のスピーカ９０に出力する。また、受話筐体２の音響処理部８７は、制御部８１からの音響データを音響信号に変換して、報知用スピーカ９１に出力する。
【００５６】
画像処理部８８は、制御部８１からの画像データを画像信号に変換して表示部６に出力する。カメラモジュール８９は、ＣＣＤ等の撮像素子（不図示）を含み、撮像素子により光から電気信号に変換された信号を所定のフォーマットの画像データに変換して制御部８１へ出力する。
【００５７】
制御部８１と、音響処理部８６、８７、画像処理部８８との間の信号の入出力は、第１ケーブル４５を介して行われる。通信方式は、例えばシリアル方式である。なお、音響処理部８６、８７、画像処理部８８の少なくともいずれかの処理部を送話筐体３に設け、当該処理部とスピーカ９０、９１、表示部６との間で第１ケーブル４５を介して信号の入出力を行ってもよい。制御部８１とカメラモジュール８９との信号の入出力は、第２ケーブル４５を介して行われる。
【００５８】
以上の実施形態によれば、携帯電話機１の開閉の際には、第１ケーブル４５のうち、回転軸に沿う部分に捩れ変形が生じ、また、第１ケーブル４５の余裕（弛み、遊び）が増減する。これにより、受話筐体２と送話筐体３との相対回転が許容される。この際、第１ケーブル４５のうち回転軸に沿う部分では、複数の同軸ケーブル４８は互いに滑りつつ螺旋状になることから、第１ケーブル４５全体としては比較的柔軟に捩れ変形が生じる。すなわち、適度な可撓性が得られることとなり、携帯電話機１の開閉動作に伴う相対回転により第１ケーブル４５は破断されにくくなる。さらに、壁部６３及びネジボス６５により第２ケーブル４６を介して第１ケーブル４５を挟持し、壁部６３を基板３１のグランドパターン層３５に導通させているから、携帯電話機１の開閉に伴う第１ケーブル４５のばたつきを抑えることができるとともに、第１ケーブル４５の導電性テープ５５が壁部６３に当接されて電気的に接続されることにより確実に接地することができる。しかも、壁部６３は第１ケーブル４５のばたつきを抑える位置決め部材と導電性テープ５５を接地する導通部材とを兼ねているから部品点数を削減して簡素な構成とすることができる。また、第１ケーブル４５は細線同軸ケーブル４８の束であるから、第１ケーブル４５の断面形状を適宜に変形させつつ適宜な圧力で挟持することができ、細線同軸ケーブル４８に無理な力を加えずにばたつきを抑えることができる。
【００５９】
第１ケーブル４５は、基板３１の側部３１ｃに交差する方向に連結部４の内部から延出し、その側部３１ｃに沿って設けられた壁部６３により、基板３１の外側から内側の方向へ押し付けられる。従って、壁部６３により確実に導通がとられるとともに、筐体組み立て時に第１ケーブル４５が基板３１外方へはみ出すことが防止される。また、横からの衝撃も緩和される。
【００６０】
第１ケーブル４５は、壁部６３と、正面側ケース２１及び背面側ケース２２を互いに固定するためのネジボス６５とにより挟持されるから、挟持のための部品を改めて設置する必要がない。
【００６１】
ネジボス６５は連結部４の凹部１０の形成部と一体形成されているから、挟持のためのネジボス６５を連結部４に隣接して設け、第１ケーブル４５に連結部４付近で当接してばたつきを効果的に抑制することができるとともに、ネジボス６５及び連結部４の強度を互いに補強することができる。
【００６２】
壁部６３は、スイッチ６９やキートップ７１等を支持しており、第１ケーブル４５の位置決め、導通だけでなく、更なる有効活用が図られる。
【００６３】
なお、以上の実施形態において、携帯電話機１は本発明の電子機器の一例であり、受話筐体２は本発明の第１筐体の一例であり、送話筐体３は本発明の第２筐体の一例であり、基板３７の電子回路（画像処理部８８等）や表示部６は本発明の第１電子回路の一例であり、基板３１の電子回路３４（制御部８１等）は本発明の第２電子回路の一例であり、第１ケーブル４５は本発明の複数のケーブルの束の一例であり、導電性テープ５５は本発明の導電性シートの一例であり、壁部６３及びネジボス６５は本発明の挟持部の一例であり、正面側ケース２１は本発明の第１ケース部材の一例であり、背面側ケース２２は本発明の第２ケース部材の一例である。
【００６４】
本発明は以上の実施形態に限定されず、種々の態様で実施してよい。
【００６５】
例えば、本実施形態においては、第１ケーブル４５は第２ケーブル４６を介して壁部６３及びネジボス６５に挟持される構成となっているが、本発明はこれに限定されるものではなく、第１ケーブル４５が第２ケーブル４６を介することなく直接壁部６３及びネジボス６５によって挟持される構成としてもよい。この場合、壁部６３とネジボス６５との距離は第１ケーブル４５の直径よりも若干小さくなるよう形成すればよい。
【００６６】
電子機器は、連結された筐体間の信号の入出力を仲介するケーブルを備えるものであればよく、携帯電話機に限定されない。デジタルカメラ、ノートパソコンであってもよい。また、連結された筐体は、折り畳み式のものに限定されず、例えば、２筐体を互いに回転且つスライドさせる、いわゆるリボルバー式のものであってもよい。
【００６７】
挟持部は、所定の圧力でケーブルを両側から押し付けることができるものであればよく、壁部及びネジボスにより構成されるものに限定されない。例えば、筐体内に設けられたカメラモジュール等の各種電子部品のホルダにより挟持部を構成してもよい。
【図面の簡単な説明】
【００６８】
【図１】本発明の実施形態に係る携帯電話機を示す外観斜視図。
【図２】図１の携帯電話機の一部を省略して示す斜視図。
【図３】図１の携帯電話機の一部を省略して示す分解斜視図。
【図４】図１の携帯電話機のケーブルの構成を説明する図。
【図５】図１の携帯電話機のケーブルの配置方法を説明する図。
【図６】図１の携帯電話機のケーブルの配置方法を説明する図。
【図７】図１の携帯電話機の信号処理系の構成を示すブロック図。
【符号の説明】
【００６９】
１…携帯電話機（電子機器）、２…受話筐体（第１筐体）、３…送話筐体（第２筐体）、４…連結部、６…表示部（第１電子回路）、３４…電子回路（第２電子回路）、５５…導電性テープ（導電性シート）、４８…細線同軸ケーブル、４５…第１ケーブル（複数のケーブルの束）、６３…壁部（挟持部）、６５…ネジボス（挟持部）。
【図１】
0004721226.tif 000002
【図２】
0004721226.tif 000003
【図３】
0004721226.tif 000004
【図４】
0004721226.tif 000005
【図５】
0004721226.tif 000006
【図６】
0004721226.tif 000007
【図７】
0004721226.tif 000008